(57)【要約】      （修正有）【課題】、数字、文字、記号、図形等をアスファルト面などに歪み無く転写でき、かつ作業性に優れた塗料吹付け用シートを提供する。【解決手段】型材２１の材質に柔軟な紙製シート又はプラスチック製シートを採用し、型材の裏面に両面接着テープ１２を貼着する。両面接着テープの剥離紙を剥がして型材をアスファルト面に押し付ければ、アスファルト面が湾曲していても型材をアスファルト面に密着して固定できる。従って、塗料を吹付けたとき、アスファルト面に数字の３が歪みなく転写される。切り抜き部分２１ａを横断するように補強片２１ｂを型材と一体に形成する。型材をアスファルト面に両面接着テープで接着して固定した後、補強片２１ｂをミシン目線２１ｃから切断して除去できる。そのため、切り抜き部分に塗料を吹付けて数字の３をアスファルト面に転写したとき、転写された数字の３の内部に塗料の未着部分が生ずるのを防止できる。【選択図】図３
2014100641.tif 000002
【特許請求の範囲】
【請求項１】
紙製シート又はプラスチック製シートから成る型材を備え、
該型材に数字、文字、記号若しくは図形の形状を有する切り抜き部分を形成し、
型材の裏面に接着剤層を形成したことを特徴とする塗料吹付け用シート。
【請求項２】
前記切り抜き部分を横断する補強片を型材に一体形成し、
補強片の両端部にミシン目線を形成したことを特徴とする請求項１に記載の塗料吹付け用シート。
【請求項３】
前記切り抜き部分を横断するようにテープ製補強片を型材に貼着したことを特徴とする請求項１に記載の塗料吹付け用シート。
【請求項４】
紙製シート又はプラスチック製シートから成る型材を備え、
該型材に数字、文字、記号若しくは図形の形状をミシン目線で区画形成し、
型材の裏面に接着剤層を形成したことを特徴とする塗料吹付け用シート。
【請求項５】
紙製シート又はプラスチック製シートから成る型材を備え、
該型材に数字、文字、記号若しくは図形の形状の大部分をミシン目線で区画形成し、該形状の端部を裁断線で区画形成し、
型材の裏面に接着剤層を形成したことを特徴とする塗料吹付け用シート。
【請求項６】
型材の外周部に、型材の外側に広がる塗料飛散防止シートを接合したことを特徴とする請求項１、３又は５に記載の塗料吹付け用シート。
【発明の詳細な説明】
【技術分野】
【０００１】
本発明は塗料吹付け用シートに関し、より詳しくは塗料を用いて道路や駐車場のアスファルト面、コンクリート壁面、コンクリート電柱表面等に数字、文字、図形、記号等を描画するときに使用する塗料吹付け用シートに関する。
【背景技術】
【０００２】
従来、駐車場のアスファルト面に駐車スペースを区別する数字を白色塗料で描画する場合、図１４に示すように、数字の形状を有する打ち抜き部分１２１を形成したブリキ薄板製の型材１２０を用いている。このブリキ薄板製型材１２０を駐車場のアスファルト面に載置し、数字の打ち抜き部分１２１に上から白色塗料を吹付けて、数字をアスファルト路面に転写している。
【先行技術文献】
【特許文献】
【０００３】
【特許文献１】引用なし
【発明の概要】
【発明が解決しようとする課題】
【０００４】
従来のブリキ薄板製型材１２０は、可撓性を有するものの、柔軟性に欠けるので、アスファルト面が湾曲していると、ブリキ薄板製型材１２０をアスファルト面に敷いたとき、ブリキ薄板製型材１２０がアスファルト面に密着し難い。そのため、型材１２０の打ち抜き部分１２１に塗料を吹付けたとき数字、文字、記号、図形等が歪んでアスファルト面に転写される。
【０００５】
また、従来のブリキ薄板製型材１２０は、数字の打ち抜き部分１２１が歪んだり、変形するのを防止するため、打ち抜き部分１２１を横断する補強片１２２が型材１２０に一体に形成されている。そのため、ブリキ薄板製型材１２０をアスファルト面に敷いて、打ち抜き部分１２１に白色塗料を吹き付けたとき、打ち抜き部分１２１で形成された数字の中の補強片１２２に相当する部分には白色塗料が付着しないので、白色塗料を吹付けた後、その部分に刷毛を使って手作業で白色塗料を塗布しなければならず、作業性が悪い。
【０００６】
さらにまた、打ち抜き部分１２１に白色塗料を吹付けたとき、転写される数字の中に生じる白色塗料が付着しない部分の面積が少ないほど、後からその部分を刷毛で塗りつぶす作業がし易くなるので、幅の狭い補強片１２２が形成されている。そのため、補強片１２２が形成されているにも拘らず、打ち抜き部分１２１の数字の形状が歪んだり、変形し易い。
【０００７】
また、ブリキ薄板製型材１２０をアスファルト面に敷いて、塗料を吹付けたとき、塗料が型材１２０の外側まで飛散してアスファルト面に付着することがあり、塗料の吹付け作業の後、アスファルト面に転写された数字の周囲に付着している塗料を除去する作業が不可欠となり、作業性が悪い。
【０００８】
本発明はかかる問題点に鑑み、数字、文字、記号、図形等をアスファルト面やコンクリート壁面に歪み無く転写でき、かつ転写の作業性に優れた塗料吹付け用シートを提供することを目的とする。
【課題を解決するための手段】
【０００９】
請求項１に記載の発明に係る塗料吹付け用シートは、紙製シート又はプラスチック製シートから成る型材を備え、
該型材に数字、文字、記号若しくは図形の形状を有する切り抜き部分を形成し、
型材の裏面に接着剤層を形成したことを特徴とする。
【００１０】
請求項２に記載の発明は、請求項１に記載の塗料吹付け用シートにおいて、
前記切り抜き部分を横断する補強片を型材に一体形成し、
補強片の両端部にミシン目線を形成したことを特徴とする。
【００１１】
請求項３に記載の発明は、請求項１に記載の塗料吹付け用シートにおいて、
前記切り抜き部分を横断するようにテープ製補強片を型材に貼着したことを特徴とする。
【００１２】
請求項４に記載の発明に係る塗料吹付け用シートは、紙製シート又はプラスチック製シートから成る型材を備え、
該型材に数字、文字、記号若しくは図形の形状をミシン目線で区画形成し、
型材の裏面に接着剤層を形成したことを特徴とする。
【００１３】
請求項５に記載の発明に係る塗料吹付け用シートは、紙製シート又はプラスチック製シートから成る型材を備え、
該型材に数字、文字、記号若しくは図形の形状の大部分をミシン目線で区画形成し、該形状の端部を裁断線で区画形成し、
型材の裏面に接着剤層を形成したことを特徴とする。
【００１４】
請求項６に記載の発明は、請求項１、３又は５に記載の塗料吹付け用シートにおいて、型材の外周部に、型材の外側に広がる塗料飛散防止シートを接合したことを特徴とする。
【発明の効果】
【００１５】
請求項１に記載の発明によれば、型材の材質に柔軟な紙製シート又はプラスチック製シートを採用するとともに、型材の裏面に接着剤層を形成したので、アスファルト面やコンクリート壁面が湾曲していても型材をアスファルト面やコンクリート壁面に密着して固定できる。そのため、型材の切り抜き部分に塗料を吹付けたとき、アスファルト面や壁面に数字、文字、記号、図形等が歪みなく転写される。
【００１６】
請求項２に記載の発明によれば、切り抜き部分を横断する補強片を型材に一体形成したので、切り抜き部分の数字、文字、記号、図形等が歪んだり、変形するのを防止できる。
また、補強片の両端部にミシン目線を形成したので、型材をアスファルト面やコンクリート壁面に密着して固定した後、補強片をミシン目線から切断して除去できる。そのため、切り抜き部分に塗料を吹付けて数字、文字、記号、図形等を転写したとき、転写された数字、文字、記号、図形等の内部に塗料の未着部分が生ずるのを防止できる。
【００１７】
請求項３に記載の発明によれば、切り抜き部分を横断するようにテープ製補強片を型材に貼着したので、切り抜き部分の数字、文字、記号、図形等が歪んだり、変形するのを防止できる。
また、型材をアスファルト面やコンクリート壁面に密着して固定した後、テープ製補強片を引き剥がすことができる。そのため、切り抜き部分に塗料を吹付けて数字、文字、記号、図形等を転写したとき、転写された数字、文字、記号、図形等の内部に塗料の未着部分が生ずるのを防止できる。
【００１８】
請求項４に記載の発明によれば、型材の材質に柔軟な紙製シート又はプラスチック製シートを採用するとともに、型材の裏面に接着剤層を形成したので、アスファルト面やコンクリート壁面が湾曲していても型材をアスファルト面やコンクリート壁面に密着して固定できる。
また、数字、文字、記号、図形等の形状をミシン目線で区画形成したので、型材をアスファルト面やコンクリート壁面に密着して固定した後、数字、文字、記号、図形等の形状部分をミシン目線から切断除去して切り抜き部分を形成できる。そのため、切り抜き部分に塗料を吹付けて数字、文字、記号、図形等を転写したとき数字、文字、記号、図形等を歪み無く転写できる。
【００１９】
請求項５に記載に記載の発明によれば、型材に数字、文字、記号若しくは図形の形状の大部分をミシン目線で区画形成するとともに、該形状の端部を裁断線で区画形成したので、ミシン目線から形状部分を切断除去するとき、裁断線で形成した端部を指先で摘むことができ、ミシン目線からの切断作業が容易になる。
【００２０】
請求項６に記載の発明によれば、型材をアスファルト面やコンクリート壁面に密着して固定し、切り抜き部分に塗料を吹付けたとき、塗料が型材の外側まで飛散しても塗料飛散防止シートによってアスファルト面やコンクリート壁面に塗料が付着するのを防止できる。
【図面の簡単な説明】
【００２１】
【図１】本発明の第１実施例に係る塗料吹付け用シートを示す平面図である。
【図２】図１の２−２線から切断した断面図である。
【図３】本発明の第２実施例に係る塗料吹付け用シートを示す平面図である。
【図４】本発明の第３実施例に係る塗料吹付け用シートを示す平面図である。
【図５】本発明の第４実施例に係る塗料吹付け用シートを示す平面図である。
【図６】本発明の第５実施例に係る塗料吹付け用シートを示す平面図である。
【図７】本発明の第６実施例に係る塗料吹付け用シートを示す平面図である。
【図８】本発明の第７実施例に係る塗料吹付け用シートを示す平面図である。
【図９】本発明の第８実施例に係る塗料吹付け用シートを示す平面図である。
【図１０】本発明の第９実施例に係る塗料吹付け用シートを示す平面図である。
【図１１】本発明の第１０実施例に係る塗料吹付け用シートを示す平面図である。
【図１２】本発明の第１１実施例に係る塗料吹付け用シートを示す平面図である。
【図１３】本発明の第１２実施例に係る塗料吹付け用シートを示す平面図である。
【図１４】従来の塗料吹付けに用いるブリキ薄板製型材を示す平面図である。
【実施例１】
【００２２】
以下に本発明を図面に基づき説明する。図１及び図２には本発明の第１実施例に係る塗料吹付け用シート１０が示されている。当該塗料吹付け用シート１０は、駐車場のアスファルト面に数字の３を描画するときに使用するものであって、型材１１を備えている。この型材１１の材質にはダンボール原紙、和紙等の紙製シート若しくは塩化ビニル等のプラスチックシートが用いられている。型材１１には数字の３の形状を有する切り抜き部分１１ａが形成されている。型材１１の裏面には切り抜き部分１１ａを囲むように、両面接着テープ１２が貼着されている。型材１１の外周部にはポリプロピレンフィルム製の透明な塗料飛散防止シート１３が接合されている。この塗料飛散防止シート１３は型材１１に重なるように折り畳むことができ、また型材１１の外側へ広げることができる。
【００２３】
第１実施例に係る塗料吹付け用シート１０の構造は以上の通りであって、型材１１の材質に柔軟な紙製シート又はプラスチック製シートを採用するとともに、型材１１の裏面に両面接着テープ１２を貼着したので、両面接着テープ１２の剥離紙１２ａを剥がして型材１１を駐車場のアスファルト面に押し付ければ、両面接着テープ１２で型材１１がアスファルト面に接着される。そのため、アスファルト面が湾曲していても型材１１をアスファルト面に密着して固定できるので、型材１１に形成した数字の３の形状を有する切り抜き部分１１ａに塗料を吹付けたとき、アスファルト面に数字の３が歪みなく転写される。
【００２４】
型材１１をアスファルト面に密着して固定させるとき、塗料飛散防止シート１３を型材１１の外側へ広げておけば、数字の３の切り抜き部分１１ａに塗料を吹付けたとき、塗料が型材１１の外側まで飛散しても塗料飛散防止シート１３によってアスファルト面に塗料が付着するのを防止できる。
【実施例２】
【００２５】
本発明の第２実施例に係る塗料吹付け用シート２０を図３に示す。当該塗料吹付け用シート２０の型材２１には数字の３の形状を有する切り抜き部分２１ａが形成されている。また、型材２１の切り抜き部分２１ａの上下２箇所に、切り抜き部分２１ａを横断するように補強片２１ｂが型材２１と一体に形成されている。各補強片２１ｂの両端部にはミシン目線２１ｃが形成されている。
なお、第２実施例に係る塗料吹付け用シート２０の他の構成は第１実施例に係る塗料吹付け用シート１０と同じであるので、同一の構成要素に同一の符号を付して説明を省略する。
【００２６】
第２実施例に係る塗料吹付け用シート２０によれば、切り抜き部分２１ａを横断するように補強片２１ｂを型材と一体に形成したので、切り抜き部分２１ａの数字の３が歪んだり、変形するのを防止できる。
また、型材２１をアスファルト面に両面接着テープ１２で接着して固定した後、補強片２１ｂをミシン目線２１ｃから切断して除去できる。そのため、切り抜き部分２１ａに塗料を吹付けて数字の３をアスファルト面に転写したとき、転写された数字の３の内部に塗料の未着部分が生ずるのを防止できる。
【実施例３】
【００２７】
本発明の第３実施例に係る塗料吹付け用シートを図４に示す。当該塗料吹付け用シート３０の型材３１には数字の２の形状を有する切り抜き部分３１ａが形成されている。この切り抜き部分３１ａの上部と中間部に補強片３１ｂが形成され、補強片３１ｂの両端部にミシン目線３１ｃが形成されている。
なお、第３実施例に係る塗料吹付け用シート３０の他の構成は第１実施例に係る塗料吹付け用シート１０と同じであるので、同一の構成要素に同一の符号を付して説明を省略する。
【実施例４】
【００２８】
本発明の第４実施例に係る塗料吹付け用シートを図５に示す。当該塗料吹付け用シート４０の型材４１には数字の５の形状を有する切り抜き部分４１ａが形成されている。この切り抜き部分４１ａの上部と中間部に補強片４１ｂが形成され、補強片４１ｂの両端部にミシン目線４１ｃが形成されている。
なお、第４実施例に係る塗料吹付け用シート４０の他の構成は第１実施例に係る塗料吹付け用シート１０と同じであるので、同一の構成要素に同一の符号を付して説明を省略する。
【実施例５】
【００２９】
本発明の第５実施例に係る塗料吹付け用シートを図６に示す。当該塗料吹付け用シート５０の型材５１には数字の０の形状を有する切り抜き部分５１ａが形成されている。この切り抜き部分５１ａの上部と下部に補強片５１ｂが形成され、補強片５１ｂの両端部にミシン目線５１ｃが形成されている。
また、型材５１の裏面には切り抜き部分５１ａを囲むように両面接着テープ１２が貼着されるとともに、数字の０で囲われた型材５１の部分５１ｄの裏面にも両面接着テープ１４が貼着されている。
なお、第５実施例に係る塗料吹付け用シート５０の他の構成は第１実施例に係る塗料吹付け用シート１０と同じであるので、同一の構成要素に同一の符号を付して説明を省略する。
【実施例６】
【００３０】
本発明の第６実施例に係る塗料吹付け用シートを図７に示す。当該塗料吹付け用シート６０の型材６１には数字の８の形状を有する切り抜き部分６１ａが形成されている。この切り抜き部分６１ａの上部と下部に補強片６１ｂが形成され、補強片６１ｂの両端部にミシン目線６１ｃが形成されている。
また、型材６１の裏面には切り抜き部分６１ａを囲むように両面接着テープ１２が貼着されるとともに、数字の８で囲われた型材６１の部分６１ｄの裏面にも両面接着テープ１５が貼着されている。
なお、第６実施例に係る塗料吹付け用シート６０の他の構成は第１実施例に係る塗料吹付け用シート１０と同じであるので、同一の構成要素に同一の符号を付して説明を省略する。
【実施例７】
【００３１】
本発明の第７実施例に係る塗料吹付け用シートを図８に示す。当該塗料吹付け用シート７０の型材７１には足跡の形状を有する切り抜き部分７１ａが形成されている。この切り抜き部分７１ａの中間部に補強片７１ｂが形成され、補強片７１ｂの両端部にミシン目線７１ｃが形成されている。
なお、第７実施例に係る塗料吹付け用シート７０の他の構成は第１実施例に係る塗料吹付け用シート１０と同じであるので、同一の構成要素に同一の符号を付して説明を省略する。
【実施例８】
【００３２】
本発明の第８実施例に係る塗料吹付け用シートを図９に示す。当該塗料吹付け用シート８０の型材８１には数字の０の形状を有する切り抜き部分８１ａが形成されている。この切り抜き部分８１ａの上部と下部にテープ製補強片１ｂが貼着されている。また、型材８１の裏面には切り抜き部分８１ａを囲むように両面接着テープ１２が貼着されるとともに、数字の０で囲われた型材８１の部分８１ｄの裏面にも両面接着テープ１４が貼着されている。
なお、第８実施例に係る塗料吹付け用シート８０の他の構成は第１実施例に係る塗料吹付け用シート１０と同じであるので、同一の構成要素に同一の符号を付して説明を省略する。
第８実施例に係る塗料吹付け用シート８０によれば、切り抜き部分８１ａを横断するようにテープ製補強片８１ｂを型材８１に貼着したので、切り抜き部分８１ａの数字の０が歪んだり、変形するのを防止できる。
【００３３】
また、型材８１をアスファルト面に両面接着テープ１２，１４で接着して固定した後、テープ製補強片８１ｂを引き剥がすことができる。そのため、切り抜き部分８１ａに塗料を吹付けて数字の０をアスファルト面に転写したとき、転写された数字の０の内部に塗料の未着部分が生ずるのを防止できる。
【実施例９】
【００３４】
本発明の第９実施例に係る塗料吹付け用シートを図１０に示す。当該塗料吹付け用シート９０の型材９１には足跡の形状を有する切り抜き部分９１ａが形成されている。この切り抜き部分９１ａの中間部にテープ製補強片９１ｂが切り抜き部分９１ａを横断するように貼着されている。
なお、第９実施例に係る塗料吹付け用シート９０の他の構成は第１実施例に係る塗料吹付け用シート１０と同じであるので、同一の構成要素に同一の符号を付して説明を省略する。
【実施例１０】
【００３５】
本発明の第１０実施例に係る塗料吹付け用シートを図１１に示す。当該塗料吹付け用シート１００は紙製シート又はプラスチック製シートから成る型材１０１を備えている。この型材には数字の３の形状がミシン目線１６で区画形成されている。型材１０１の裏面には両面接着テープ１２が貼着されている。
なお、第１０実施例に係る塗料吹付け用シート１００の他の構成は第１実施例に係る塗料吹付け用シート１０と同じであるので、同一の構成要素に同一の符号を付して説明を省略する。
【００３６】
第１０実施例に係る塗料吹付け用シート１００によれば、型材１０１の材質に柔軟な紙製シート又はプラスチック製シートを採用するとともに、型材の裏面に両面接着テープを貼着したので、アスファルト面に接着して固定できる。
【００３７】
また、数字の３をミシン目線１６で区画形成したので、型材１０１をアスファルト面に接着して固定した後、数字の３の形状部分をミシン目線１６から切断除去して数字の３の形状を有する切り抜き部分１０１ａを形成できる。そのため、切り抜き部１０１ａに塗料を吹付けて数字の３をアスファル面に転写したとき、転写された数字の３の内部に塗料の未着部分が生ずるのを防止できる。
【実施例１１】
【００３８】
本発明の第１１実施例に係る塗料吹付け用シートを図１２に示す。当該塗料吹付け用シート１００Ａの型材１３にはミシン目線１６と裁断線１７で数字の３が区画形成されている。ミシン目線１６は数字の３の大部分を区画形成し、裁断線１７は数字の３の端部を区画形成している。
なお、第１１実施例に係る塗料吹付け用シート１００Ａの他の構成は第１０実施例に係る塗料吹付け用シート１００と同じであるので、同一の構成要素に同一の符号を付して説明を省略する。
第１１実施例に係る塗料吹付け用シート１００Ａによれば、数字の３の大部分をミシン目線１６で区画形成し、数字の３の端部を裁断線１７で区画形成したので、ミシン目線から数字の３の形状部分を切断除去するとき、裁断線１７で形成した端部を指先で摘むことができ、ミシン目線１７からの切断作業が容易になる。
【実施例１２】
【００３９】
本発明の第１２実施例に係る塗料吹付け用シートを図１３に示す。当該塗料吹付け用シート１１０は、型材１１１を備え、型材１１１にミシン目線１６で数字の０が区画形成されている。また、型材１１１の裏面には数字の０の部分１１１ａを囲むように両面接着テープ１２が貼着されるとともに、数字の０で囲われた型材１１１の部分１１１ｄの裏面にも両面接着テープ１４が貼着されている。
なお、第１１実施例に係る塗料吹付け用シート１１０の他の構成は第１実施例に係る塗料吹付け用シート１０と同じであるので、同一の構成要素に同一の符号を付して説明を省略する。
【００４０】
本実施例に係る塗料吹付け用シート１１０によれば、型材をアスファルト面に両面接着テープ１２，１４で接着して固定した後、ミシン目線１６から数字の０の形状部分を切断除去して数字の０の形状を有する切り抜き部分１１１ａを形成できる。
【符号の説明】
【００４１】
１０，２０，３０，４０，５０，６０，７０，８０，９０，１００，１００Ａ，１１０…塗料吹付け用シート
１１，２１，３１，４１，５１，６１，７１，８１，９１，１０１，１１１…型材
１１ａ，２１ａ，３１ａ，４１ａ，５１ａ，６１ａ，７１ａ，８１ａ，９１ａ，１０１ａ，１１１ａ…切り抜き部分
１２，１４，１５…両面接着テープ
１３…塗料飛散防止シート
１６，２１ｃ，３１ｃ，４１ｃ，５１ｃ，６１ｃ，７１ｃ…ミシン目線
１７…裁断線
２１ｂ，３１ｂ，４１ｂ，５１ｂ，６１ｂ，７１ｂ…補強片
８１ｂ，９１ｂ…テープ製補強片
【図１】
2014100641.tif 000003
【図２】
2014100641.tif 000004
【図３】
2014100641.tif 000005
【図４】
2014100641.tif 000006
【図５】
2014100641.tif 000007
【図６】
2014100641.tif 000008
【図７】
2014100641.tif 000009
【図８】
2014100641.tif 000010
【図９】
2014100641.tif 000011
【図１０】
2014100641.tif 000012
【図１１】
2014100641.tif 000013
【図１２】
2014100641.tif 000014
【図１３】
2014100641.tif 000015
【図１４】
2014100641.tif 000016